(57)【特許請求の範囲】
【請求項１】
少なくとも壁面に固定されるフレームと、
表示装置を支持する支持部材と、
前記フレームに取り付けられ、前記支持部材を着脱可能に支持する無端状のチェーンベルトを備え、前記チェーンベルトを駆動させることにより前記支持部材を鉛直方向に昇降させる昇降装置と、
前記チェーンベルトに係止されるストライクボックスに横方向から嵌合する横部材と、鉛直方向に摺動可能な縦部材と、前記横部材が有する第１の突起及び前記縦部材が有する第２の突起に掛け回されるワイヤと、前記横部材を前記ストライクボックスに嵌合する方向に付勢する弾性体と、を具備し、前記支持部材に設置される着脱装置と、
前記昇降装置を駆動させる駆動装置と、
を備える表示装置設置装置。
【請求項２】
前記表示装置設置装置は、
前記表示装置設置装置とは別体に設けられ、前記支持部材を受け取る受取装置に、前記支持部材を前記チェーンベルトから外すことにより前記表示装置を前記支持部材ごと受け渡す請求項１記載の表示装置設置装置。
【請求項３】
前記フレームの下端部に設置され、前記表示装置の配線コードを巻き取る配線コード巻取部をさらに備える請求項２記載の表示装置設置装置。
【発明の詳細な説明】
【技術分野】
【０００１】
本発明の実施形態は、表示装置設置装置に関する。
【背景技術】
【０００２】
商業施設や、交通管制室などには大型の表示装置が複数台並べて壁面に取り付けられる場合がある。
【０００３】
このような従来の壁面ディスプレイは、表示装置を取り付け具によって個別に壁面に固定していた。
【０００４】
従って、取り付け時には高所に表示装置を取り付けるために足場を組まなければならず、また、大きな表示装置の場合は特に画面に傷をつけないように取り付けなければならず、工数がかかっていた。
【０００５】
また、メンテナンスの際には、高所の表示装置に対して作業を行うために、再び足場を組まなければならず、また、作業員が高所作業に慣れていない場合危険が伴うことがあった。
【先行技術文献】
【特許文献】
【０００６】
【特許文献１】特開２０１１−７５７５７号公報
【発明の概要】
【発明が解決しようとする課題】
【０００７】
従って、表示装置の取り付け及び取り外しが容易な表示装置設置装置が求められている。
【課題を解決するための手段】
【０００８】
上記の課題を解決するために、本発明の一実施形態は、壁面に固定されるフレームと、表示装置を支持する支持部材と、フレームに取り付けられ、支持部材を着脱可能に支持する無端状のチェーンベルトを備え、チェーンベルトを駆動させることにより支持部材を鉛直方向に昇降させる昇降装置と、チェーンベルトに係止されるストライクボックスに横方向から嵌合する横部材と、鉛直方向に摺動可能な縦部材と、横部材が有する第１の突起及び縦部材が有する第２の突起に掛け回されるワイヤと、横部材を前記ストライクボックスに嵌合する方向に付勢する弾性体と、を具備し、支持部材に設置される着脱装置と、昇降装置を駆動させる駆動装置と、を備える表示装置設置装置を提供する。
【図面の簡単な説明】
【０００９】
【図１】表示装置設置装置の外観斜視図である。
【図２】表示装置設置装置の表示装置のメンテナンス時における作業手順を示す図である。
【図３】表示装置設置装置の表示装置のメンテナンス時における作業手順を示す図である。
【図４】表示装置設置装置の表示装置のメンテナンス時における作業手順を示す図である。
【図５】表示装置設置装置の表示装置のメンテナンス時における作業手順を示す図である。
【図６】表示装置設置装置の表示装置のメンテナンス時における作業手順を示す図である。
【図７】受取装置の正面図である。
【図８】受取装置の右側面図である。
【図９】支持部材をチェーンベルトに対して着脱する着脱装置を示す図である。
【図１０】着脱装置の動作を示す正面図である。
【図１１】着脱装置の右側面図である。
【図１２】ストライクボックス及び駆動装置を示す正面図である。
【図１３】ストライクボックスの右側面図である。
【図１４】上昇用ラチェットの動作を示す図である。
【図１５】下降用ラチェットの動作を示す図である。
【図１６】配線コード巻取部を示す正面図である。
【図１７】配線コード巻取部を示す右側面図である。
【図１８】表示装置が受取装置に載置されて移動される場合の配線コード巻取部を示す右側面図である。
【発明を実施するための形態】
【００１０】
以下、表示装置設置装置の一実施形態について、図面を用いて詳細に説明する。
【００１１】
本実施形態の表示装置設置装置は、床面および壁面に固定されるフレームと、表示装置を支持する支持部材と、フレームに取り付けられ、支持部材を着脱可能に支持する無端状のチェーンベルトを備え、チェーンベルトを駆動させることにより支持部材を鉛直方向に昇降させる昇降装置と、昇降装置を駆動させる駆動装置と、を備える。
【００１２】
図１は、表示装置設置装置１の外観斜視図である。図１に示すように、表示装置設置装置１は、床面および壁面に固定されるフレーム１１と、フレーム１１に取り付けられ、表示装置１６を支持する支持部材１３を鉛直方向に昇降させる昇降装置１２と、昇降装置１２を駆動させる駆動装置１５と、を備える。
【００１３】
昇降装置１２は、縦方向に複数の支持部材１３を備える。昇降装置１２は、例えばフレーム１１の上下両端部に設置されるギア１２０と、ギア１２０に掛け回されるチェーン、又はタイミングベルト等の無端状の動力伝達部材であるチェーンベルト１２１と、を備える。
【００１４】
昇降装置１２は支持部材１３をチェーンベルト１２１に着脱可能に支持する。
【００１５】
昇降装置１２は、駆動装置１５によって駆動されると、支持部材１３を鉛直方向上方向又は下方向に昇降させる。
【００１６】
なお、フレーム１１は少なくとも壁面に固定されるが、床面に接触し、固定されなくてもよい。また、フレーム１１は床面から多少離間していてもよい。
【００１７】
図２は、表示装置設置装置１の表示装置１６のメンテナンス時における作業手順を示す図である。図２に示すように、表示装置１６のメンテナンスを行う場合、まずフレーム１１の下端部に表示装置１６を載せて支持する受取装置２０を設置する。
【００１８】
図３は、表示装置設置装置１の表示装置１６のメンテナンス時における作業手順を示す図である。図３に示すように、作業者は矢印Ｘ１に示すように表示装置１６が下りてくる方向に、矢印Ｘ２に示すように駆動装置１５を駆動させる。
【００１９】
表示装置１６が下方に移動した場合、表示装置１６を支持部材１３ごと受取装置２０に支持させる。
【００２０】
図４は、表示装置設置装置１の表示装置１６のメンテナンス時における作業手順を示す図である。図４に示すように、次いで、支持部材１３をチェーンベルト１２１から取り外し、表示装置１６を載せた受取装置２０をフレーム１１から離す方向に移動させる。
【００２１】
図５及び図６は、表示装置設置装置１の表示装置１６のメンテナンス時における作業手順を示す図である。図５及び図６に示すように、上述の作業手順を各表示装置１６について行い、順次表示装置１６を支持部材１３ごと受取装置２０に受け取らせて矢印Ｘ３に示す方向に移動させる。
【００２２】
表示装置１６を取り付ける場合は、この逆の作業手順を順次行う。
【００２３】
図７は、受取装置２０の正面図である。図８は、受取装置２０の右側面図である。図７及び図８に示すように、受取装置２０は、支持部材１３を受け取る受具２０１と、受具２０１の下端に取り付けられるローラ２０２と、を備える。
【００２４】
受具２０１は上端部に支持部材１３の横部材１３１を受け取る溝部２０４を備える。
【００２５】
図９は、支持部材１３をチェーンベルト１２１に対して着脱する着脱装置１３０を示す図である。図９に示すように、着脱装置１３０は、チェーンベルト１２１に係止されるストライクボックス１２２に横方向から嵌合する横部材１３１と、鉛直方向に摺動可能な縦部材１３３と、横部材１３１が有する第１の突起１３２及び縦部材１３３が有する第２の突起１３４に掛け回されるワイヤ１３５と、横部材１３１をチェーンベルト１２１方向、すなわち、ストライクボックス１２２に嵌合する方向に付勢する弾性体１３６と、を備える。
【００２６】
着脱装置１３０は、さらに縦部材１３３に連結する引き綱１３７と、引き綱１３７の端部に取り付けられるハンドル１３８と、を備える。
【００２７】
着脱装置１３０は、横部材を少なくとも左右一対有する。
【００２８】
受取装置２０の一対の受具２０１の幅は、一対のチェーンベルト１２１の幅より狭い。従って、受取装置２０は溝部２０４に横部材１３１を挟み込むことができる。
【００２９】
図１０は、着脱装置１３０の動作を示す正面図である。図１１は、着脱装置１３０の右側面図である。
【００３０】
図１０及び図１１に示すように、着脱装置１３０は矢印Ｘ５に示す下方にハンドル１３８が引かれた場合、縦部材１３３は下方に変位しするとともにワイヤ１３５を引く。
【００３１】
ワイヤ１３５が引かれると、横部材１３１は矢印Ｘ４に示すストライクボックス１２２から外れる方向に変位する。
【００３２】
この時、最も縦部材１３３が下方にひかれても、横部材１３１は溝部にはまり込んでいるだけの長さを有するため、支持部材１３は受取装置２０によって支持される。
【００３３】
表示装置１６は連結具１３Ａによって支持部材１３に取り付けられていてもよい。
【００３４】
図１２は、ストライクボックス１２２及び駆動装置１５を示す正面図である。図１３は、ストライクボックス１２２の右側面図である。
【００３５】
図１２及び図１３に示すように、ストライクボックス１２２は、横部材１３１を受け入れる箱体１２２Ｃと、チェーンベルト１２１に係止されるピン部材１２２Ｂと、を備える。
【００３６】
箱体１２２Ｃは、ピン部材１２２Ｂを挿通し、鉛直方向に延びる挿通孔１２２Ａを備える。
【００３７】
従って、支持部材１３の縦方向の位置の微調整が可能である。
【００３８】
駆動装置１５は、駆動ハンドル１５１と、第１の爪車である下降用ラチェット１５４と、下降用ラチェット１５４の上昇方向への回転を規制する下降用歯止め１５２と、第２の爪車である上昇用ラチェット１５５と、上昇用ラチェット１５５の下降方向への回転を規制する上昇用歯止め１５３と、を備える。
【００３９】
図１４は、下降用ラチェット１５４の動作を示す図である。図１４に示すように、駆動装置１５は、フレーム１１に係止される制御ボックス１５２Ａを備える。
【００４０】
制御ボックス１５２Ａは、回動中心１５２Ｅを中心に回動する第１のアーム１５２Ｇと、第１のアーム１５２Ｇに回動可能に係止され、弾性部体１５２Ｆによって下降用ラチェット１５４の方向に付勢される下降用止め歯１５２Ｄと、を備える。
【００４１】
制御ボックス１５２Ａは、第１のアーム１５２Ｇが有する第１のピン１５２Ｃを挿通する第１の溝部１５２Ｂを備える。
【００４２】
支持部材１３を下降させる場合には、矢印Ｘ６に示す方向に第１のアーム１５２Ｇを回動させ、下降用ラチェット１５４を矢印Ｘ７の方向に回転させる。
【００４３】
図１５は、上昇用ラチェット１５５の動作を示す図である。図１５に示すように、駆動装置１５は、フレーム１１に係止される制御ボックス１５２Ａを備える。
【００４４】
制御ボックス１５２Ａは、回動中心１５２Ｅを中心に回動する第２のアーム１５３Ｇと、第２のアーム１５３Ｇに回動可能に係止され、弾性部体１５３Ｆによって上昇用ラチェット１５５の方向に付勢される上昇用止め歯１５３Ｄと、を備える。
【００４５】
制御ボックス１５２Ａは、第２のアーム１５３Ｇが有する第２のピン１５３Ｃを挿通する第２の溝部１５３Ｂを備える。
【００４６】
支持部材１３を上昇させる場合には、矢印Ｘ８に示す方向に第２のアーム１５３Ｇを回動させ、上昇用ラチェット１５５を矢印Ｘ９の方向に回転させる。
【００４７】
なお、支持部材１３を下降させるときには第２のアーム１５３Ｇを、上昇させるときには第１のアーム１５２Ｇをそれぞれ引き上げておく。
【００４８】
図１６は、配線コード巻取部４０を示す正面図である。図１７は、配線コード巻取部４０を示す右側面図である。
【００４９】
図１６及び図１７に示すように、配線コード巻取部４０はフレーム１１の下端に設置される。配線コード巻取部４０は、複数の表示装置１６の配線１６１をそれぞれ別個に巻き取る。
【００５０】
図１８は、表示装置１６が受取装置２０に載置されて移動される場合の配線コード巻取部４０を示す右側面図である。図１８に示すように、配線コード巻取部４０は受取装置２０が移動するに従って、配線１６１を引き出し、又は巻取りを行う。
【００５１】
以上述べたように、本実施形態の表示装置設置装置１は、少なくとも壁面に固定されるフレーム１１と、フレーム１１に取り付けられ、表示装置１６を支持し、チェーンベルト１２１に着脱可能に取り付けられる支持部材１３と、支持部材１３を鉛直方向に昇降させる昇降装置１２と、昇降装置１２を駆動させる駆動装置１５と、を備える。
【００５２】
また、表示装置設置装置１は、表示装置設置装置１とは別体に設けられ、支持部材１３を受け取る受取装置２０に、支持部材１３をチェーンベルト１２１から外すことにより表示装置１６を支持部材１３ごと受け渡す。
【００５３】
従って、表示装置の取り付け及び取り外しが容易となるという効果がある。
【００５４】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５５】
１：表示装置設置装置
１１：フレーム
１２：昇降装置
１３：支持部材
１５：駆動装置
２０：受取装置
【要約】
【課題】表示装置の取り付け及び取り外しが容易な表示装置設置装置を提供する。
【解決手段】表示装置設置装置は、少なくとも壁面に固定されるフレームと、表示装置を支持する支持部材と、フレームに取り付けられ、支持部材を着脱可能に支持する無端状のチェーンベルトを備え、チェーンベルトを駆動させることにより支持部材を鉛直方向に昇降させる昇降装置と、昇降装置を駆動させる駆動装置と、を備える。表示装置設置装置は、表示装置設置装置とは別体に設けられ、支持部材を受け取る受取装置に、支持部材をチェーンベルトから外すことにより表示装置を支持部材ごと受け渡す。
【選択図】図１【図１】
0005592524.tif 000002
【図２】
0005592524.tif 000003
【図３】
0005592524.tif 000004
【図４】
0005592524.tif 000005
【図５】
0005592524.tif 000006
【図６】
0005592524.tif 000007
【図７】
0005592524.tif 000008
【図８】
0005592524.tif 000009
【図９】
0005592524.tif 000010
【図１０】
0005592524.tif 000011
【図１１】
0005592524.tif 000012
【図１２】
0005592524.tif 000013
【図１３】
0005592524.tif 000014
【図１４】
0005592524.tif 000015
【図１５】
0005592524.tif 000016
【図１６】
0005592524.tif 000017
【図１７】
0005592524.tif 000018
【図１８】
0005592524.tif 000019